(57)【要約】【課題】撮影前におけるホワイトバランスの調整を意図したとおりにかつ直感的に行うことを可能にする。【解決手段】デジタルカメラは、被写体側ファインダ窓１６と、画像を表示する表示部６１と、接眼窓１７と、液晶シャッタ６２とを含み、ファインダ窓１６から入射してきた被写体光像と表示部６１に表示される画像とが重畳された像を接眼窓１７から観察可能に構成されるファインダ装置１５を備える。デジタルカメラの制御部３２は、液晶シャッタ６２を図３のように制御した状態で、液晶シャッタ６２の非透過領域６２と対応する表示装置６１の表示領域に、ホワイトバランス調整後の撮像画像を表示させる。【選択図】図７
2014110607.tif 000002
【特許請求の範囲】
【請求項１】
撮像光学系を通して被写体を撮像する撮像素子と、
被写体光が入射するファインダ窓と、画像を表示する表示部と、接眼窓とを含み、前記ファインダ窓から入射してきた被写体光像と前記表示部に表示される画像とが重畳された像を前記接眼窓から観察可能に構成されるファインダ装置と、
前記接眼窓から観察される像である観察像を、複数の独立した第一のエリアと前記複数の第一のエリアを除く第二のエリアとに分割した状態にて、前記第一のエリアと前記第二のエリアのうちの一方のエリアにおける像を、前記撮像素子によって被写体を撮像して得られたホワイトバランス調整処理後の撮像画像データにおける前記一方のエリアと対応するデータに基づく画像又は当該画像に相当する像とし、前記第一のエリアと前記第二のエリアのうちの他方のエリアにおける像を、前記被写体光像又は前記被写体光像に相当する像とする制御を行う制御部と、を備える撮像装置。
【請求項２】
請求項１記載の撮像装置であって、
前記制御部は、
前記被写体光像のうち、前記一方のエリアと重なる部分が前記接眼窓に入射するのを防ぐ遮光制御を行う遮光制御部と、
前記遮光制御が行われた状態で、前記表示部の表示領域における前記一方のエリアと対応する領域に、前記撮像素子によって被写体を撮像して得られたホワイトバランス調整処理後の撮像画像データにおける前記一方のエリアと対応するデータに基づく画像を表示させる表示制御部と、を含む撮像装置。
【請求項３】
請求項１記載の撮像装置であって、
前記制御部は、
前記ホワイトバランス調整処理後の撮像画像データにおける前記一方のエリアと対応するデータから、前記被写体光像のうちの前記一方のエリアと重なる部分に相当するデータを減算する減算処理部と、
前記減算処理部による減算後のデータに基づく画像を、前記表示部の表示領域における前記一方のエリアに対応する領域に表示させ、前記表示部の表示領域における前記他方のエリアに対応する領域は画像を非表示とする表示制御部と、を含む撮像装置。
【請求項４】
請求項１記載の撮像装置であって、
前記表示部に表示される画像と前記被写体光像とが重なる前記ファインダ装置の光軸上における位置よりも被写体側の当該光軸上にて前記被写体光像を減衰するための減衰部材を備え、
前記制御部は、
前記撮像素子によって被写体を撮像して得られる撮像画像信号から、前記減衰部材により減衰された前記被写体光像に相当する画像データを生成する画像データ生成部と、
前記ホワイトバランス調整処理後の撮像画像データにおける前記一方のエリアと対応するデータから、前記画像データ生成部により生成された画像データの前記一方のエリアと対応するデータを減算する減算処理部と、
前記減算処理部による減算後のデータに基づく画像を、前記表示部の表示領域における前記一方のエリアと対応する領域に表示させ、前記画像データ生成部により生成された画像データの前記他方のエリアと対応するデータに基づく画像を、前記表示部の表示領域における前記他方のエリアと対応する領域に表示させる表示制御部と、を含む撮像装置。
【請求項５】
請求項１記載の撮像装置であって、
前記表示部に表示される画像と前記被写体光像とが重なる前記ファインダ装置の光軸上における位置よりも被写体側の当該光軸上にて前記被写体光像の前記一方のエリアに対応する部分を減衰するための減衰部材を備え、
前記制御部は、
前記撮像素子によって被写体を撮像して得られる撮像画像信号から、前記減衰部材により減衰された前記被写体光像に相当する画像データを生成する画像データ生成部と、
前記ホワイトバランス調整処理後の撮像画像データにおける前記一方のエリアと対応するデータから、前記画像データ生成部により生成された画像データの前記一方のエリアと対応するデータを減算する減算処理部と、
前記減算処理部による減算後のデータに基づく画像を、前記表示部の表示領域における前記一方のエリアと対応する領域に表示させ、黒一色の画像を、前記表示部の表示領域における前記他方のエリアと対応する領域に表示させる表示制御部と、を含む撮像装置。
【請求項６】
請求項１から５のいずれか１項記載の撮像装置であって、
前記一方のエリアの面積は前記他方のエリアの面積よりも大きく設定される撮像装置。
【請求項７】
請求項１から６のいずれか１項記載の撮像装置であって、
前記観察像を格子状に分割した状態での分割エリアのうち、市松状に配置される各分割エリアが前記第一のエリアとして設定される撮像装置。
【発明の詳細な説明】
【技術分野】
【０００１】
本発明は、ファインダ装置を搭載する撮像装置に関する。
【背景技術】
【０００２】
ファインダ光学系を通して被写体を観測可能な光学ファインダと、光学ファインダの光学像に画像を重畳可能な表示部とを含むファインダ装置を有するカメラが提案されている（特許文献１，２参照）。
【０００３】
特許文献１，２には、ファインダ装置のファインダ光学系を通る光学像の例えば半分を遮光し、その遮光した部分に対応する表示部の表示エリアに、撮像素子によって被写体を撮像して得られる撮像画像を表示させることで、ファインダ装置の接眼窓から見える観察像を、被写体の撮像画像と被写体の光学像との継ぎ合わせとする方法が開示されている。
【０００４】
特許文献１では、被写体の撮像画像として、ホワイトバランスゲインを変えた画像を表示させることについても記載されている。このようにすることで、ホワイトバランス調整後の画像とホワイトバランス調整前の画像（被写体の光学像）とを比較しながら撮影を行うことができるため、利便性を高めることができる。
【先行技術文献】
【特許文献】
【０００５】
【特許文献１】特開２０１２−６５２９４号公報
【特許文献２】特開２０１２−６３７２２号公報
【発明の概要】
【発明が解決しようとする課題】
【０００６】
特許文献１のように、ホワイトバランス調整後の撮像画像と光学像との継ぎ合わせ像をファインダ装置の接眼窓から見えるようにしても、光学像のうちの遮光されている部分と遮光されていない部分とで色味が大きくことなっているような場合には、ホワイトバランスが適当なのかどうか判断できないことがある。
【０００７】
本発明は、上記事情に鑑みてなされたものであり、撮影前におけるホワイトバランスの調整を意図したとおりにかつ直感的に行うことが可能な撮像装置を提供することを目的とする。
【課題を解決するための手段】
【０００８】
本発明の撮像装置は、撮像光学系を通して被写体を撮像する撮像素子と、被写体光が入射するファインダ窓と、画像を表示する表示部と、接眼窓とを含み、上記ファインダ窓から入射してきた被写体光像と上記表示部に表示される画像とが重畳された像を上記接眼窓から観察可能に構成されるファインダ装置と、上記接眼窓から観察される像である観察像を、複数の独立した第一のエリアと上記複数の第一のエリアを除く第二のエリアとに分割した状態にて、上記第一のエリアと上記第二のエリアのうちの一方のエリアにおける像を、上記撮像素子によって被写体を撮像して得られたホワイトバランス調整処理後の撮像画像データにおける上記一方のエリアと対応するデータに基づく画像又は当該画像に相当する像とし、上記第一のエリアと上記第二のエリアのうちの他方のエリアにおける像を、上記被写体光像又は上記被写体光像に相当する像とする制御を行う制御部と、を備えるものである。
【発明の効果】
【０００９】
本発明によれば、撮影前におけるホワイトバランスの調整を意図したとおりにかつ直感的に行うことが可能な撮像装置を提供することができる。
【図面の簡単な説明】
【００１０】
【図１】本発明の一実施形態を説明するための撮像装置としてのデジタルカメラ１００の外観斜視図
【図２】図１に示すデジタルカメラ１００の内部ブロック構成図
【図３】図１に示す液晶シャッタ６２におけるＷＢ調整モード設定時の状態を示す図
【図４】図１に示すデジタルカメラ１００の被写体側ファインダ窓１６から入射する被写体光像を示す図
【図５】被写体光像に図３の状態の液晶シャッタが重なった像を示す図
【図６】図１に示すデジタルカメラのＷＢ調整モードにおいて接眼窓１７から見える観察像を示す図
【図７】図１に示すデジタルカメラのＷＢ調整モード時の動作を説明するためのフローチャート
【図８】図１に示す液晶シャッタ６２のＷＢ調整モード時の状態の変形例を示す図
【図９】図１に示す液晶シャッタ６２のＷＢ調整モード時の状態の変形例を示す図
【図１０】図１に示す液晶シャッタ６２のＷＢ調整モード時の状態の変形例を示す図
【図１１】図１に示すデジタルカメラにおいて液晶シャッタ６２を用いずに観察像を生成する変形例を説明するための図
【図１２】図１に示すデジタルカメラにおいて液晶シャッタ６２を用いずに観察像を生成する変形例を説明するための図
【図１３】図１に示すデジタルカメラにおいて液晶シャッタ６２を用いずに観察像を生成する別の変形例を説明するための図
【発明を実施するための形態】
【００１１】
以下、本発明の実施形態について図面を参照して説明する。
【００１２】
図１は、本発明の一実施形態を説明するための撮像装置としてのデジタルカメラ１００の外観斜視図である。
【００１３】
デジタルカメラ１００は、矩形の筐体１１を備える。筐体１１の正面中央には、レンズ鏡筒１２が設けられている。レンズ鏡筒１２内に、撮像光学系１３が収納されている。
【００１４】
筐体１１の上端面の片側にはシャッタボタン１４が設けられている。筐体１１の上端面のシャッタボタン１４とは反対側の角には、ファインダ装置１５が設けられている。ファインダ装置１５の被写体側ファインダ窓１６は、筐体１１正面の角部に設けられている。被写体側ファインダ窓１６と対向する筐体１１の背面側の部分に、ファインダ装置１５の接眼窓１７が設けられている。
【００１５】
図２は、図１に示すデジタルカメラ１００の内部ブロック構成図である。
【００１６】
同図において、デジタルカメラ１００は、ＣＣＤ型の固体撮像素子２１ａと、固体撮像素子２１ａの前段に置かれた撮像光学系と、固体撮像素子２１ａの出力信号（撮影画像信号）をアナログ信号処理するＣＤＳＡＭＰ２５ａと、ＣＤＳＡＭＰ２５ａの出力信号をデジタル信号に変換するアナログデジタル（Ａ／Ｄ）変換器２６ａと、ファインダ装置１５と、撮像光学系１３とを備える。
【００１７】
撮像光学系１３は、フォーカスレンズ１３ｂを含む撮影レンズと、絞り（アイリス）２４と、を含んで構成されている。
【００１８】
なお、固体撮像素子２１ａは、図２の例ではＣＣＤ型であるが、ＣＭＯＳ型等の他の形式の固体撮像素子でも良い。
【００１９】
ファインダ装置１５は、被写体光像が入射する窓である被写体側ファインダ窓１６と、接眼窓１７と、対物光学系６５と、ハーフミラー６３を内部に持つプリズム６６と、画像を表示する表示装置６１と、液晶シャッタ６２と、を備える。対物光学系６５とプリズム６６によりファインダ光学系が構成される。
【００２０】
被写体側ファインダ窓１６と接眼窓１７との間には、液晶シャッタ６２と対物光学系６５とプリズム６６とが、ファインダ装置１５の入射光軸Ｌに沿ってこの順に配置されている。入射光軸Ｌがファインダ光学系の光軸となる。なお、液晶シャッタ６２は、対物光学系６５とプリズム６６の間に設けてもよい。この場合には液晶シャッタ６２のサイズを小さくすることができる。
【００２１】
ハーフミラー６３は、光軸Ｌに対して斜め４５度に設置されている。
【００２２】
表示装置６１は、例えば液晶表示装置によって構成されており、ハーフミラー６３に隣接しかつ光軸Ｌに対し平行に配置されている。表示装置６１は、表示領域において画像を表示させたい部分だけバックライトの光を透過させ、それ以外の部分のバックライト光は透過させないようにする（黒表示にする）ことで、画像の表示を行う。
【００２３】
これにより、表示装置６１に画像が表示されていない状態では、被写体側ファインダ窓１６から入射した被写体光像のみを、接眼窓１７から確認することができる。
【００２４】
また、表示装置６１に画像が表示されている状態では、被写体光像と、表示装置６１から発せられハーフミラー６３で反射した光（表示装置６１に表示されるＥＶＦ画像）とが重畳された像を、接眼窓１７から確認することができる。
【００２５】
なお、ファインダ装置１５は、プリズム６６と表示装置６１を削除し、プリズム６６があった位置に、シースルー型の表示装置をその表示領域が光軸Ｌに対して垂直になるように配置したものであってもよい。
【００２６】
液晶シャッタ６２は、被写体光像のうちの一部が、接眼窓１７に入射するのを防ぐために設けられている。液晶シャッタ６２についての詳細は後述する。
【００２７】
デジタルカメラ１００は、液晶シャッタ６２を駆動する液晶シャッタ駆動部４６と、フォーカスレンズ１３ｂの駆動モータに駆動パルスを供給するモータドライバ４７と、絞り２４の絞り制御を行う駆動モータに駆動信号を供給するモータドライバ４８と、固体撮像素子２１ａに駆動タイミングパルスを供給するタイミングジェネレータ（ＴＧ）４９と、を備える。液晶シャッタ駆動部４６、モータドライバ４７，４８、及びＴＧ４９は、制御部３２からの指令に基づいて動作する。また、ＣＤＳＡＭＰ２５ａも制御部３２からの指令に基づいて動作する。
【００２８】
デジタルカメラ１００は、更に、Ａ／Ｄ変換器２６ａから出力されるデジタルの撮像画像信号を取り込む画像入力コントローラ３１と、このデジタルカメラ１００の全体を統括制御する制御部３２と、画像入力コントローラ３１によって取り込まれた撮像画像信号を画像処理して撮像画像データを生成する画像信号処理回路３３と、ワークメモリとして使用するＲＡＭや各種データを記憶するＲＯＭ等を含むメモリ３６と、画像処理後の撮像画像データをＪＰＥＧ画像やＭＰＥＧ画像に圧縮する圧縮処理回路３９と、表示制御部４１と、記録媒体４２に撮像画像データを記録するメディアコントローラ４３と、これらを相互接続するバス４４と、を備える。
【００２９】
画像信号処理回路３３が行う画像処理は、撮像画像信号（固体撮像素子２１ａの各画素の出力信号の集合）を用いて、各画素に対応する画素位置に赤色信号、緑色信号、青色信号の色信号を持たせる同時化処理と、同時化処理後の各色信号に、設定されたゲインを乗じて、ホワイトバランス（ＷＢ）を調整するＷＢ調整処理とを含む。なお、ＷＢ調整処理は、Ａ／Ｄ変換前のアナログ信号処理によって行ってもよい。
【００３０】
表示制御部４１は、カメラ背面等に設けられた液晶表示装置４０（図１においては不図示）又はファインダ装置１５内の表示装置６１に、各種画像を表示させる。
【００３１】
デジタルカメラ１００は、ファインダ装置１５において、被写体光像と、固体撮像素子２１ａによって撮像されホワイトバランス調整処理後の画像とを同時に確認しながら、ホワイトバランスの条件を設定することのできるＷＢ調整モードを設定可能となっている。
【００３２】
制御部３２には、図１に示したシャッタボタン１４と図示しないＷＢ調整モード設定用のボタン等を含む操作部５０が接続されている。この操作部５０を介して入力されるユーザ指示に基づき、制御部３２はデジタルカメラ１００を制御する。
【００３３】
制御部３２は、撮影モードに設定された状態でＷＢ調整モードが設定されると、液晶シャッタ６２の一部を光が通過しない非透過状態に制御し、残りを光が透過する透過状態に制御する。なお、制御部３２は、撮影モードに設定された状態でＷＢ調整モードが設定されていない状態では、液晶シャッタ６２の全ての領域を光が透過する状態に制御する。
【００３４】
図３は、図１に示す液晶シャッタ６２におけるＷＢ調整モード設定時の状態を示す図である。図３は、液晶シャッタ６２を接眼窓１７側から光軸Ｌの方向に見た状態での、被写体光像と重なる部分を示している。
【００３５】
図３に示す状態の液晶シャッタ６２は、被写体光像と重なる領域を格子状に１６分割し、１６個の分割エリアの半分が光を通す透過領域６２ａ（網掛けなしの領域）となっており、残り半分が光を通さない非透過領域６２ｂ（網掛けありの領域）となっている。
【００３６】
液晶シャッタ６２の被写体光像と重なる領域において、透過領域６２ａと非透過領域６２ｂはそれぞれ市松状に配置されている。市松状とは、垂直方向及び水平方向ともに１つ飛ばしで、領域が配置される形状のことを言う。
【００３７】
図１に示すデジタルカメラ１００における被写体側ファインダ窓１６から入射する被写体光像が図４に示すものであった場合、表示装置６１をオフ（黒表示）にしている状態では、図３に示した状態の液晶シャッタ６２を通して接眼窓１７から見える像（観察像）は、図５に示すようになる。図５に示す観察像は、被写体光像がそのまま見える領域と、液晶シャッタ６２の非透過領域６２ｂだけが見える領域とによって構成されている。
【００３８】
ＷＢ調整モードにおいては、制御部３２が、図５に示す観察像を構成する各非透過領域６２ｂに、その各非透過領域６２ｂによって接眼窓１７から見えなくなってしまった被写体光像の撮像画像（固体撮像素子２１ａによって撮像して得られたホワイトバランス調整処理後の撮像画像データに基づく画像）を重ねる制御を行う。
【００３９】
つまり、制御部３２は、固体撮像素子２１ａにより撮像して得られたＷＢ調整処理後の撮像画像データに基づく画像のうち、各非透過領域６２ｂと対応する画像（各非透過領域６２ｂと重なる被写体部分を撮像して得られた画像）を、表示装置６１の表示領域における当該各非透過領域６２ｂと対応する領域に表示させる。
【００４０】
図６は、ＷＢ調整モード時に接眼窓１７から見える観察像を示す図である。図６において斜めハッチングを付した領域は、表示装置６１に表示される画像が液晶シャッタ６２の非透過領域６２ｂに重なって見えている部分である。図６では、分かりやすくするために、表示装置６１に表示される画像にハッチングを付しているが、実際にはハッチングは表示されない。なお、撮像画像と被写体光像とを区別できるように、表示装置６１の表示させる撮像画像には、その周囲に視認可能な枠を付けて表示させてもよい。図６のように、このような枠を表示させないことで、後述するホワイトバランス調整操作をより直感的に行いやすくなる。
【００４１】
ＷＢ調整モード時において、制御部３２は、表示装置６１の非透過領域６２ｂと対応する表示領域に表示させている画像のホワイトバランスを示す画像６１ａを表示装置６１に表示させる。
【００４２】
画像信号処理回路３３は、太陽、蛍光灯、白熱灯等の複数の光源種のいずれかと、そのいずれかの光源種に対応して最適なホワイトバランスを得るためのＲ信号、Ｇ信号、Ｂ信号それぞれに乗じるゲインとの組み合わせのデータを記憶している。そして、ＷＢ調整モードに設定されると、画像信号処理回路３３は、同時化処理後の撮像画像信号の各色信号に、このデータにしたがってゲインを乗じて、ホワイトバランスの調整を行う。
【００４３】
画像６１ａは、画像信号処理回路３３によってＷＢ調整を行ったときの設定光源種（図６の例は蛍光灯）を示す画像６１ｃと、非透過領域６２ｂと対応する表示領域に表示された画像の色温度を示す画像６１ｂとを含む。画像６１ｂは、設定されている光源種において変更できる色温度の範囲を示す目盛りと、現在表示中の画像の色温度がそのゲージのどこにおける値なのかを示す三角マークとを含む。
【００４４】
接眼窓１７から図６に示す像が観察できる状態で、操作部５０の操作により、設定光源種の切り替え指示があると、この指示が制御部３２を介して画像信号処理回路３３に伝達される。
【００４５】
そして、画像信号処理回路３３は、同時化処理後の撮像画像信号の各色信号に乗じるゲインを、ユーザによって指定された光源種に対応するゲインに変更する。上記指示があると、制御部３２は、画像６１ａに含まれる光源種を示す画像６１ｃを、ユーザによって指定された光源種を示す画像に切り替える制御を行う。
【００４６】
また、接眼窓１７から図６に示す像が観察できる状態で、操作部５０の操作により、画像６１ｂにおける三角マークの位置の変更指示があると、この指示に応じて、画像信号処理回路３３は、同時化処理後の撮像画像信号の各色信号に乗じるゲインを、三角マークの位置で指定される色温度に対応したゲインに変更する。また、制御部３２は、画像６１ａを、画像６１ｂの三角マークを指示に応じて移動させた画像に変更する。
【００４７】
図７は、図１に示すデジタルカメラのＷＢ調整モード時の動作を説明するためのフローチャートである。
【００４８】
ＷＢ調整モードに設定されると、制御部３２は、液晶シャッタ６２を図３に示すように制御して、被写体光像の一部を遮光した像を接眼窓１７に入射させる（ステップＳ１）。
【００４９】
次に、画像信号処理回路３３が、固体撮像素子２１ａから出力された撮像画像信号を取得し、この撮像画像信号に同時化処理を施して撮像画像データを生成し、同時化処理後の撮像画像データの各色信号に対し、予め設定された光源種に応じたゲインを乗じてホワイトバランス調整を行う（ステップＳ２）。
【００５０】
次に、制御部３２が、ステップＳ２で行われたホワイトバランス調整における設定光源種とＷＢ調整後の画像の色温度とを示す画像６１ｂを表示装置６１の表示領域に表示させる（ステップＳ３）。
【００５１】
また、制御部３２は、ＷＢ調整後の撮像画像データに基づく画像のうち、液晶シャッタ６２の非透過領域６２ｂによって遮光された被写体光像の部分に対応する画像を、当該非透過領域６２ｂに対応する表示装置６１の表示領域に表示させる（ステップＳ４）。
【００５２】
ステップＳ４の後、操作部５０の操作によって色温度の変更指示がなく、かつ、撮像指示がなければ（ステップＳ７：ＮＯ）、ステップＳ２に処理が戻り、固体撮像素子２１ａによって撮像が行われる毎に、表示装置６１に表示される画像が更新される。
【００５３】
ステップＳ４の後、操作部５０の操作によって色温度の変更指示や光源種の変更指示があると（ステップＳ５：ＹＥＳ）、画像信号処理回路３３は、指定された条件に合わせてホワイトバランスゲインを変更してＷＢ調整を行い（ステップＳ６）、ステップＳ３に処理を戻す。
【００５４】
ステップＳ４の後、操作部５０の操作によって色温度の変更指示や光源種の変更指示がなく、かつ、撮像指示があると（ステップＳ７：ＹＥＳ）、制御部３２は、固体撮像素子２１ａにより記録のための撮像を行わせる。
【００５５】
そして、この撮像によって得られた撮像画像信号に対し、画像信号処理回路３３によって、撮像指示時点で設定されているホワイトバランスゲインによってＷＢ調整がなされ、ＷＢ調整後の撮像画像データが記録媒体４２に記録される（ステップＳ８）。ステップＳ８の後は、ステップＳ２に処理が戻る。
【００５６】
以上のように、図１に示すデジタルカメラによれば、接眼窓１７から見える観察像を、被写体光像の一部と、被写体光像の一部以外の部分を撮像して得られたホワイトバランス調整後の画像（表示装置６１に表示される画像）との継ぎ合わせ像とすることができる。そして、操作部５０を操作することで、表示装置６１に表示させる画像のホワイトバランスを変更することができる。
【００５７】
したがって、デジタルカメラのユーザは、接眼窓１７から見える観察像を確認しながら、被写体光像と表示装置６１に表示される画像との継ぎ目の違和感が最も小さくなるように、表示装置６１に表示される画像のホワイトバランスを調整することで、撮像して記録媒体４２に記録される画像の色味を、実際に眼で見た被写体の色味に近いものとすることができる。
【００５８】
なお、ＷＢ調整モード時における液晶シャッタ６２の構成は、図３に示したものに限らない。
【００５９】
例えば、図８のＦＩＧ８Ａに示すように、被写体光像と重なる領域を格子状に９分割し、９個の分割エリアの半分を透過領域６２ａとし、残り半分を非透過領域６２ｂとした構成であってもよい。
【００６０】
また、図８のＦＩＧ８Ｂに示すように、被写体光像と重なる領域を格子状に４分割し、４個の分割エリアの半分を透過領域６２ａとし、残り半分を非透過領域６２ｂとした構成であってもよい。また、ＦＩＧ８Ａ，ＦＩＧ８Ｂにおいて、透過領域６２ａと非透過領域６２ｂを逆にした構成であってもよい。
【００６１】
また、図９のＦＩＧ９Ａに示すように、被写体光像と重なる領域を短冊状に３分割し、３個の分割エリアのうちの両端のエリアを透過領域６２ａとし、真ん中のエリアを非透過領域６２ｂとした構成であってもよい。
【００６２】
また、図９のＦＩＧ９Ｂに示すように、ＦＩＧ９Ａにおいて、透過領域６２ａと非透過領域６２ｂを逆にした構成であってもよい。
【００６３】
また、図１０のＦＩＧ１０Ａに示すように、被写体光像と重なる領域に、４つの非透過領域６２ｂをそれぞれ離間して配置し、残りの領域を透過領域６２ａとした構成であってもよい。ＦＩＧ１０Ａにおいては、非透過領域６２ｂの数を２つ、３つ、又は５つ以上としてもよい。
【００６４】
また、図１０のＦＩＧ１０Ｂに示すように、ＦＩＧ１０Ａにおいて、透過領域６２ａと非透過領域６２ｂを逆にした構成であってもよい。
【００６５】
図３，図８，図９，図１０に示した構成は、いずれも、被写体光像と重なる領域において、透過領域６２ａと非透過領域６２ｂのいずれかが、複数個それぞれ独立して配置された構成となっている。
【００６６】
ここで、独立して配置される領域とは、他の領域と全く接していない領域（ＦＩＧ９Ａ，１０Ｂに示した透過領域６２ａ、又は、ＦＩＧ９Ｂ，１０Ａに示した非透過領域６２ａが該当）に加え、他の１つの領域と接触してはいるが、その接触部分が点に近い領域のことを言う。
【００６７】
例えば、図８のＦＩＧ８Ａにおいて、右上にある透過領域６２ａは、その左下にある透過領域６２ａと１点でしか接触していない。このため、この透過領域６２ａは独立した領域ということができる。
【００６８】
ＦＩＧ８Ａに例示した液晶フィルタ６２の構成は、被写体光像と重なる領域において５つの独立した透過領域６２ａが配置され、透過領域６２ａ以外の領域に非透過領域６２ｂが配置された構成、又は、被写体光像と重なる領域において４つの独立した非透過領域６２ｂが配置され、非透過領域６２ｂ以外の領域に透過領域６２ａが配置された構成と言うことができる。
【００６９】
液晶シャッタ６２において、被写体光像と重なる領域を単純に２つに分割し、一方に透過領域を配置し、他方に非透過領域を配置して、非透過領域に撮像画像を重畳させるのでは、観察像を構成する被写体光像を、１つの撮像画像としか比較ができないため、ホワイトバランスを適正に調整することが難しい。
【００７０】
図１に示すデジタルカメラのように、液晶シャッタ６２の構成を、被写体光像と重なる領域に、透過領域と非透過領域のいずれかを、複数個それぞれ独立に配置した構成とすることで、観察像を構成する被写体光像に対して、複数個の撮像画像との比較が可能になる。又は、観察像を構成する撮像画像に対して、複数個の被写体光像との比較が可能になる。又は、観察像を構成する複数個の被写体光像に対して、複数個の撮像画像との比較が可能になる。
【００７１】
したがって、接眼窓１７から見える観察像を見ながら、ホワイトバランスを適正に調整することが可能となる。図３，８に示したように、透過領域と非透過領域を同数かつ市松状に配置した構成では、撮像画像と被写体光像とが観察像において満遍なく配置されることになるため、ホワイトバランスの調整が特に行いやすい。
【００７２】
また、図８のＦＩＧ８Ａにおいて、非透過領域６２ｂと透過領域６２ａを逆にした構成では、観察像に占める撮像画像の面積が、観察像に占める被写体光像の面積よりも多くなる。観察像におけるＷＢ調整処理後の撮像画像の占有面積を被写体光像よりも大きくすることで、ホワイトバランスの調整をより行いやすくすることができる。
【００７３】
なお、図２の例では、液晶シャッタ６２によって、接眼窓１７に入射する被写体光像の一部を遮光するものとしたが、これに限らない。例えば、液晶シャッタ６２の代わりに、透明なガラス板に遮光材を塗布した板状の部材を用い、この部材を被写体側ファインダ窓１６と接眼窓１７との間、又は、被写体側ファインダ窓１６の外側の光軸Ｌ上に出し入れ可能な構成としておく。
【００７４】
そして、ＷＢ調整モードでは、制御部３２が、この部材を移動させるモータを駆動して、この部材を光軸Ｌ上に挿入し、ＷＢ調整モードが設定されていない状態では、この部材を光軸Ｌ上から退避させる。
【００７５】
このようにすることで、液晶シャッタ６２を用いる場合と比較して、接眼窓１７から見える観察像における被写体光像を明るくすることが可能になる。また、ＷＢ調整モードに設定されていない状態では、ファインダ装置１５の光軸上には上記部材が存在しないため、接眼窓１７から見える観察像を明るくすることができる。
【００７６】
図２において液晶シャッタ６２を省略した構成でも、図６に示した観察像と同等の像を接眼窓１７から見えるようにすることは可能である。以下では、液晶シャッタ６２を用いずに、例えば図８のＦＩＧ８Ｂに示す構成の液晶シャッタ６２を用いた場合と同等の観察像を接眼窓１７から見えるようにする方法について説明する。
【００７７】
図１１の上段左に示すように、被写体側ファインダ窓１６に入射する被写体光像のうちの例えば赤色成分の量をａとすると、被写体側ファインダ窓１６に入射した赤色光はプリズム６６内のハーフミラー６３によって減衰されて、図１１の下段左に示すようにａ／２となる。
【００７８】
ＷＢ調整処理後の撮像画像データに基づく画像を表示装置６１に表示させた状態で表示装置６１から発せられる赤色成分の量をｂとすると、制御部３２は、表示装置６１の表示領域を４分割した右上のエリアと左上のエリアから（ｂ−ａ）の赤色成分の光が出射されるように、表示装置６１に表示させる画像を調整する。また、制御部３２は、表示装置６１の表示領域の左上と右下のエリアは黒表示とする。
【００７９】
これにより、図１１の上段右に示すように、表示装置６１から発せられる赤色成分の光量は、右上と左下のエリアが（ｂ−ａ）となり、残りのエリアがほぼ０となる。
【００８０】
図１１の下段中央に示したように、表示装置６１から出射した光は、プリズム６６内のハーフミラー６３によって減衰されて（ｂ−ａ）／２となる。
【００８１】
このため、図１１の下段右に示したように、観察像において、右上と左下のエリアの光量は、（ａ／２）＋（ｂ−ａ）／２＝ｂ／２となり、残りのエリアの光量はａ／２となる。
【００８２】
ここまでは、赤色光についてのみ説明したが、青色、緑色についても同様のことが行われる。この結果、液晶シャッタ６２を用いた場合と同等の観察像（被写体光像とＷＢ調整後の撮像画像に相当する像との継ぎ合わせ像）を接眼窓１７から観察することができる。
【００８３】
上記ｂに相当するデジタルデータは、ＷＢ調整処理後の撮像画像データにおける各画素の赤色データであり、上記ａに相当するデジタルデータは、同時化処理後の撮像画像データ（ＷＢ調整処理前のもの）における各画素の赤色データである。
【００８４】
このため、画像信号処理回路３３は、ＷＢ調整処理後の撮像画像データから同時化処理後の撮像画像データを減算する処理を行う。そして、制御部３２が、この減算処理後の撮像画像データに基づく画像を表示装置６１に表示させる。これにより、液晶シャッタ６２を用いた場合と同等の観察像を接眼窓１７から見えるようにすることができる。
【００８５】
なお、ホワイトバランスゲインの設定によっては、上記減算処理の結果、符合がマイナスとなる色データが発生することがある。しかし、表示装置６１には符号がマイナスのデータを表示させることはできない。
【００８６】
そこで、減算処理の結果、符合がマイナスになる色データがある場合には、制御部３２が、接眼窓１７に入射する被写体光像を所定の減衰率で減衰するための減衰フィルタ（減衰部材）を、被写体側ファインダ窓１６に入射する被写体光像と表示装置６１に表示される画像とが重なるファインダ装置１５の光軸上の位置よりも被写体側に挿入する制御を行う。
【００８７】
なお、制御部３２は、減算処理の結果、符合がマイナスになる色データがない場合には、減衰フィルタの挿入は行わない。減衰部材としては、光の透過率を電気的に制御できる液晶を用いてもよい。この場合には、減衰部材は常に光軸上に配置しておいてよい。そして、符号がマイナスになる色データがない場合には、光を減衰しないよう液晶の透過率を制御すればよい。
【００８８】
被写体側ファインダ窓１６に入射する被写体光像と表示装置６１に表示される画像とが重なる位置は、図２のファインダ装置１５の構成で言えば、ハーフミラー６３と光軸Ｌとが交差する位置である。また、図２のファインダ装置１５において、プリズム６６を削除して、プリズム６６の位置にシースルー型の表示装置６１を配置した場合には、表示装置６１における表示面と光軸Ｌとが交差する位置である。
【００８９】
図２の例では、制御部３２が、プリズム６６と対物レンズ６５との間、対物レンズ６５と被写体側ファインダ窓１６との間、又は、被写体側ファインダ窓１６の外側、の光軸Ｌ上に減衰フィルタを挿入する。
【００９０】
例えば、減衰率５０％の減衰フィルタを挿入した場合、プリズム６６通過後の被写体光像は図１２の下段左に示すように、各領域の光量がａ／４となる。この場合、表示装置６１には、図１２の上段右に示すように、右上と左下エリアに｛ｂ−（ａ／２）｝の光を発する画像を表示させ、左上と右下エリアに（ａ／２）の光を発する画像を表示させればよい。
【００９１】
（ａ／２）の光を発する画像は、被写体側ファインダ窓１６から入射する被写体光像を減衰フィルタで減衰した後の画像に相当する。この画像の元データは、同時化処理後の撮像画像データの各画素データを一律で１／２（この値は、減衰フィルタの減衰率に応じた値）にすることで得られる。
【００９２】
したがって、制御部３２は、ＷＢ調整処理後の撮像画像データから、同時化処理後の撮像画像データの各画素データを一律で１／２にした撮像画像データを減算する処理を行って得られた撮像画像データに基づく画像を、表示装置６１の右上と左下エリアに表示させる。また、制御部３２は、同時化処理後の撮像画像データの各画素データを一律で１／２にすることで得られた撮像画像データに基づく画像を、表示装置６１の左上と右下エリアに表示させる。
【００９３】
表示装置６１から出射した光は、プリズム６６内のハーフミラー６３によって１／２に減衰されて図１２の下段中央に示すようになる。
【００９４】
このため、図１２の下段右に示すように、観察像において、右上と左下のエリアの光量は、（ｂ／２）となり、残りのエリアの光量はａ／２となって、液晶シャッタ６２を用いた場合と同等の観察像（被写体光像に相当する像と、ＷＢ調整後の撮像画像に相当する像と、の継ぎ合わせ像）をユーザに提示することができる。
【００９５】
なお、減衰部材として液晶を用いた場合には、この液晶において、被写体光像における左上と右下のエリアに対応する領域は透過率を０とし、その他のエリアに対応する領域は透過率を５０％にする。これにより、プリズム６６通過後の被写体光像は図１３の下段左に示すように、右上と左下の領域の光量がａ／４となり、左上と右下の領域の光量がａ／２となる。
【００９６】
そして、制御部３２は、ＷＢ調整処理後の撮像画像データから、同時化処理後の撮像画像データの各画素データを一律で１／２にした撮像画像データを減算する処理を行って得られた撮像画像データに基づく画像を、表示装置６１の右上と左下エリアに表示させる。また、制御部３２は、表示装置６１の左上と右下エリアに黒一色の画像を表示させる（図１３上段右）。
【００９７】
これにより、表示装置６１から出射した光は、プリズム６６内のハーフミラー６３によって１／２に減衰されて図１３の下段中央に示すようになる。
【００９８】
したがって、図１３の下段右に示すように、図１２の下段右と同じ観察像をユーザに提示することができる。
【００９９】
なお、この液晶の代わりに、被写体光像における左上と右下のエリアに対応する領域は遮光され、その他のエリアに対応する領域が透過率５０％で光を透過する格子状の部材を用いてもよい。この場合も、液晶を用いたときと同様の処理によって図１３の下段右に示す観察像をユーザに提示することができる。このような部材を用いる場合、符号がマイナスになる色データがない状態では、この部材を光軸上から退避させておけばよい。
【０１００】
以上説明してきたように、本明細書には以下の事項が開示されている。
【０１０１】
開示された撮像装置は、撮像光学系を通して被写体を撮像する撮像素子と、被写体光が入射するファインダ窓と、画像を表示する表示部と、接眼窓とを含み、上記ファインダ窓から入射してきた被写体光像と上記表示部に表示される画像とが重畳された像を上記接眼窓から観察可能に構成されるファインダ装置と、上記接眼窓から観察される像である観察像を、複数の独立した第一のエリアと上記複数の第一のエリアを除く第二のエリアとに分割した状態にて、上記第一のエリアと上記第二のエリアのうちの一方のエリアにおける像を、上記撮像素子によって被写体を撮像して得られたホワイトバランス調整処理後の撮像画像データにおける上記一方のエリアと対応するデータに基づく画像又は当該画像に相当する像とし、上記第一のエリアと上記第二のエリアのうちの他方のエリアにおける像を、上記被写体光像又は上記被写体光像に相当する像とする制御を行う制御部と、を備えるものである。
【０１０２】
開示された撮像装置は、上記制御部が、上記被写体光像のうち、上記一方のエリアと重なる部分が上記接眼窓に入射するのを防ぐ遮光制御を行う遮光制御部と、上記遮光制御が行われた状態で、上記表示部の表示領域における上記一方のエリアと対応する領域に、上記撮像素子によって被写体を撮像して得られたホワイトバランス調整処理後の撮像画像データにおける上記一方のエリアと対応するデータに基づく画像を表示させる表示制御部と、を含むものである。
【０１０３】
開示された撮像装置は、上記制御部が、上記ホワイトバランス調整処理後の撮像画像データにおける上記一方のエリアと対応するデータから、上記被写体光像のうちの上記一方のエリアと重なる部分に相当するデータを減算する減算処理部と、上記減算処理部による減算後のデータに基づく画像を、上記表示部の表示領域における上記一方のエリアに対応する領域に表示させ、上記表示部の表示領域における上記他方のエリアに対応する領域は画像を非表示とする表示制御部と、を含むものである。
【０１０４】
開示された撮像装置は、上記表示部に表示される画像と上記被写体光像とが重なる上記ファインダ装置の光軸上における位置よりも被写体側の当該光軸上にて上記被写体光像を減衰するための減衰部材を備え、上記制御部は、上記撮像素子によって被写体を撮像して得られる撮像画像信号から、上記減衰部材により減衰された上記被写体光像に相当する画像データを生成する画像データ生成部と、上記ホワイトバランス調整処理後の撮像画像データにおける上記一方のエリアと対応するデータから、上記画像データ生成部により生成された画像データの上記一方のエリアと対応するデータを減算する減算処理部と、上記減算処理部による減算後のデータに基づく画像を、上記表示部の表示領域における上記一方のエリアと対応する領域に表示させ、上記画像データ生成部により生成された画像データの上記他方のエリアと対応するデータに基づく画像を、上記表示部の表示領域における上記他方のエリアと対応する領域に表示させる表示制御部と、を含むものである。
【０１０５】
開示された撮像装置は、上記表示部に表示される画像と上記被写体光像とが重なる上記ファインダ装置の光軸上における位置よりも被写体側の当該光軸上にて上記被写体光像の上記一方のエリアに対応する部分を減衰するための減衰部材を備え、上記制御部は、上記撮像素子によって被写体を撮像して得られる撮像画像信号から、上記減衰部材により減衰された上記被写体光像に相当する画像データを生成する画像データ生成部と、上記ホワイトバランス調整処理後の撮像画像データにおける上記一方のエリアと対応するデータから、上記画像データ生成部により生成された画像データの上記一方のエリアと対応するデータを減算する減算処理部と、上記減算処理部による減算後のデータに基づく画像を、上記表示部の表示領域における上記一方のエリアと対応する領域に表示させ、黒一色の画像を、上記表示部の表示領域における上記他方のエリアと対応する領域に表示させる表示制御部と、を含むものである。
【０１０６】
開示された撮像装置は、上記一方のエリアの面積は上記他方のエリアの面積よりも大きく設定されるものである。
【０１０７】
開示された撮像装置は、上記観察像を格子状に分割した状態での分割エリアのうち、市松状に配置される各分割エリアが上記第一のエリアとして設定されるものである。
【産業上の利用可能性】
【０１０８】
本発明は、特に高機能のデジタルカメラ等に適用して利便性が高く、有効である。
【符号の説明】
【０１０９】
１５  ファインダ装置
１６  被写体側ファインダ窓
１７  接眼窓
３２  制御部
６１  表示装置
６２  液晶シャッタ
６２ａ  透過領域
６２ｂ  非透過領域
【図１】
2014110607.tif 000003
【図２】
2014110607.tif 000004
【図３】
2014110607.tif 000005
【図４】
2014110607.tif 000006
【図５】
2014110607.tif 000007
【図６】
2014110607.tif 000008
【図７】
2014110607.tif 000009
【図８】
2014110607.tif 000010
【図９】
2014110607.tif 000011
【図１０】
2014110607.tif 000012
【図１１】
2014110607.tif 000013
【図１２】
2014110607.tif 000014
【図１３】
2014110607.tif 000015